(57)【特許請求の範囲】
【請求項１】
インキタンク（８）とペン先（９）との間に、インキタンク（８）内の圧力変化に応じた溢出インキを一時的に保持するインキ保溜部材（２）を介在させた直液式筆記具であって、前記インキ保溜部材（２）は、前部のペン先保持部（３）と、後部のインキ保溜部（４）とが合成樹脂により一体に形成されており、前記インキ保溜部（４）表面に親水処理（５）を施すとともに、前記ペン先保持部（３）表面に撥水処理（６）を施し、前記ペン先保持部（３）表面を非親水処理状態にさせたことを特徴とする直液式筆記具。
【請求項２】
前記ペン先保持部（３）表面に親水処理（５）を施し、その親水処理（５）表面の上に撥水処理（６）を施してなる請求項１記載の直液式筆記具。
【発明の詳細な説明】
【０００１】
【産業上の利用分野】
本発明は直液式筆記具に関する。さらに詳細には、インキタンクとペン先との間に、インキタンク内の圧力変化に応じた溢出インキを一時的に保持するインキ保溜部材を介在させた直液式筆記具に関する。
【０００２】
【従来の技術】
従来の直液式筆記具において、インキ保溜部材の表面に親水処理を施して、濡れ性を改質させたものが広く知られている（例えば、実開昭６３−１１９０８２号公報等）。
【０００３】
前記インキ保溜部材は、ペン先保持部とインキ保溜部（櫛溝や螺旋溝）とが一体に形成されているが、親水処理の工程において、インキ保溜部のみを親水処理することは困難であった。そのため、ペン先保持部表面にもインキ保溜部同様に親水処理がなされることが多い。
【０００４】
前記ペン先保持部に親水処理がなされた場合、一般に軸筒先端から外部に突出されているペン先保持部に、インキ保溜部に存在するインキが次第に移行して、ペン先保持部表面に滲み出すおそれがある。そのため、使用時、ペン先保持部表面に付着したインキによってユーザーの手を汚すおそれがあった。
【０００５】
【発明が解決しようとする課題】
本発明は、前記従来の問題点を解決するものであって、インキ保溜部からペン先保持部にインキが容易に移行せず、使用時、ユーザーの手を汚すおそれのない直液式筆記具を提供しようとするものである。
【０００６】
【課題を解決するための手段】
本発明は、インキタンク８とペン先９との間に、インキタンク８内の圧力変化に応じた溢出インキを一時的に保持するインキ保溜部材２を介在させた直液式筆記具１であって、前記インキ保溜部材２は、前部のペン先保持部３と、後部のインキ保溜部４とが合成樹脂により一体に形成されており、前記インキ保溜部４表面に親水処理５を施すとともに、前記ペン先保持部３表面を非親水処理状態にさせたことを要件とする。
【０００７】
前記構成において、非親水処理状態とは、前記ペン先保持部３表面に撥水処理６を施してなる構成が好ましい。さらには、前記ペン先保持部３表面に親水処理５を施し、前記親水処理５表面の上に撥水処理６を施してなる構成が好ましい。
【０００８】
前記親水処理５は、例えば、インキ保溜部材２の表面に界面活性剤や親水性物質の薄い皮膜を形成する構成、インキ保溜部材２の表面にエッチング処理や析出物等で凸凹面を形成する構成、あるいは放射線照射やプラズマ処理等が挙げられる。
【０００９】
前記撥水処理６は、例えば、シリコン系樹脂やフッ素系樹脂の皮膜を付着させる構成が挙げられる。
【００１０】
前記インキ保溜部材２の材質として、ＡＢＳ樹脂（アクリロニトリル・ブタジエン・スチレン樹脂）、ＡＳ樹脂（アクリロニトリル・スチレン樹脂）等の合成樹脂が有効である。
【００１１】
前記ペン先９は、ボールペンチップ、繊維加工ペン体、軸方向のインキ導出孔を有する合成樹脂の押出成形体（プラスチックペン体）、毛筆ペン体、小管ペン体、万年筆等の金属板状ペン体等、いずれであってもよい。
【００１２】
【作用】
ペン先保持部３の表面を非親水処理状態にさせたことによって、インキ保溜部４からペン先保持部３表面へインキが滲み出すことが抑制される。
【００１３】
ペン先保持部３表面に撥水処理６を施したことによって、前記インキの滲み出しがより一層抑制される。
【００１４】
さらに、親水処理５表面（特に、粗面化された表面）の上に撥水処理６を施してなる構成では、該親水処理５表面の濡れ易さを利用して、液状の撥水処理液（樹脂液）等をムラなく均一に塗布することができる。
【００１５】
【実施例】
図１に本発明の第１実施例を示す。
【００１６】
軸筒７は、先端開口部に、インキ保溜部材２が嵌入され、該インキ保溜部材２の後方にインキタンク８が形成される。
【００１７】
前記インキ保溜部材２は、前部のペン先９が取り付けられるペン先保持部３と、後部の複数の櫛溝によるインキ保溜部４とが、ＡＢＳ樹脂により一体に形成される。前記インキ保溜部４（櫛溝）は、複数の円板状の櫛歯４１によって形成される。さらに、前記櫛歯４１には、スリット状のインキ誘導溝４２と空気交替凹溝４３が軸方向に設けられている。また、前記ペン先保持部３には、ペン先９（先端にボールを回動自在に抱持した金属製のボールペンチップ）が取付孔３１に圧入固着されている。
【００１８】
インキ保溜部材２の軸心には中心孔２１が設けられ、該中心孔２１には、軸方向の毛細管間隙を有する合成樹脂製のインキ誘導部材２２が挿着されている。前記インキ誘導部材２２は、その先端がペン先９（ボールペンチップ）に接続されるとともに、その後端がインキ保溜部材２後端から突出されている。
【００１９】
前記インキ保溜部材２の全表面には、親水処理５が施されている。そして、ペン先保持部３の前記親水処理５が施された表面には、撥水処理６として、フッ素系樹脂による硬化薄膜が形成されている。前記フッ素系樹脂の硬化薄膜は、樹脂の希釈溶媒の揮散による乾燥塗膜である。その厚みは、０．０１μｍ〜５μｍ、好ましくは０．０１μｍ〜１μｍ、より好ましくは０．０１μｍ〜０．５μｍが効果的である。
【００２０】
前記フッ素系樹脂としては、市販のフッ素系コーティング剤、例えば、住友スリーエム株式会社製のフロラードＦＣ−７２２〔フッ素系ホモポリマーと完全フッ素化された不活性液体（パーフロロカーボン）中で合成した、固形分約２％のコーティング剤〕や、同社製のフロラードＦＣ−７２５（フッ素コポリマー３０重量％のｎ−ブチルアセテート液）等が挙げられる。
【００２１】
前記希釈溶媒としては、完全フッ素化合物（基本構造Ｃ6 Ｆ14）、酢酸エチル、トルエン、１，１，１−トリクロロメタン等が挙げられる。
【００２２】
前記撥水処理６は、樹脂液（フッ素系樹脂が溶媒により希釈された溶液）が、インキ保溜部材２の軸筒７からの突出部（ペン先保持部３）に塗布又は滴下される。前記撥水処理６の箇所としては、ペン先保持部３外周面の、軸筒７先端部近傍に施されることが効果的である。前記撥水処理６は、ペン先保持部３外周に環状に設けることが好ましいが、この他にも不連続な斑点状であってもよい。
【００２３】
図２に第２実施例を示す。ペン先９は、繊維ペン体（合成繊維の樹脂加工体）であり、ペン先保持部３の取付孔３１に圧入される。インキ保溜部４には、第１実施例同様に、親水処理５が施される。一方、ペン先保持部３には、前記親水処理５は施されず、その親水処理５の未処理面に撥水処理６が施される。
【００２４】
また、ペン先保持部３と軸筒７開口部との間に、カバー部材７１が嵌着される。前記カバー部材７１は、キャップ装着時，ペン先保持部３とキャップとの衝突を回避し、前記ペン先保持部３表面の撥水処理６の硬化薄膜の剥がれを防ぐ。
【００２５】
【発明の効果】
本発明は、前記構成により、親水処理状態にあるインキ保溜部には、水性インキが効果的に濡れ、インキ保溜機能を満たし、一方、非親水処理状態にあるペン先保持部表面には、インキ保溜部からインキが滲み出すことが抑制され、使用時のユーザーの手を汚すことが防止される。
【００２６】
ペン先保持部表面に撥水処理を施したことによって、前記インキの滲み出しがより一層抑制される。
【００２７】
さらに、親水処理表面（特に、粗面化された表面）の上に撥水処理を施してなる構成では、該親水処理表面の濡れ易さを利用して、液状の撥水処理液（樹脂液）等をムラなく均一に塗布することができる。
【図面の簡単な説明】
【図１】本発明の第１実施例を示す縦断面図である。
【図２】本発明の第２実施例を示す縦断面図である。
【符号の説明】
１  直液式筆記具
２  インキ保溜部材
２１  中心孔
２２  インキ誘導部材
３  ペン先保持部
３１  取付孔
４  インキ保溜部
４１  櫛歯
４２  インキ誘導溝
４３  空気交替凹溝
５  親水処理
６  撥水処理
７  軸筒
７１  カバー部材
８  インキタンク
９  ペン先
【図１】
0003684470.tif 000002
【図２】
0003684470.tif 000003